(57)【特許請求の範囲】
【請求項１】
光ファイバを挟持するための凸状部および凹状部を有して当該凸状部および当該凹状部の凹凸形状に沿って当該光ファイバを湾曲させた状態で挟持する挟持部と、前記凸状部および前記凹状部の一方に配設されて前記挟持部によって湾曲させられている前記光ファイバにおける湾曲部位からの漏洩光を受光して受光レベルに応じた検出信号を出力する受光素子とを備え、前記凸状部および前記凹状部の他方が、前記湾曲部位における一端側からの第１の漏洩光を前記受光素子に案内する第１の光案内路と、前記湾曲部位における他端側からの第２の漏洩光を前記受光素子に案内する第２の光案内路とを備えると共に、前記第１の光案内路に配設されて前記第１の漏洩光を遮光する液晶シャッタを備えている心線対照測定装置用の光検出用治具、並びに、前記液晶シャッタによる前記漏洩光の遮光処理を制御すると共に前記受光素子からの前記検出信号に基づいて前記光ファイバによって伝送されている光の伝送方向を特定する伝送方向特定処理を実行する情報処理部を備えた心線対照測定装置であって、
前記情報処理部は、前記伝送方向特定処理時において、前記液晶シャッタに対して前記第１の漏洩光の通過を許容させた状態における前記受光素子からの第１の検出信号と、前記液晶シャッタに対して前記第１の漏洩光を遮光させた状態における前記受光素子からの第２の検出信号とを取得して、前記第１の検出信号に対応する受光レベルと前記第２の検出信号に対応する受光レベルとの差が予め規定された受光レベル以下のときに、前記湾曲部位の前記一端側から前記他端側に向かって前記光が伝送されていると特定し、前記第１の検出信号に対応する受光レベルと前記第２の検出信号に対応する受光レベルとの差が前記予め規定された受光レベルを超えているときに、前記湾曲部位の前記他端側から前記一端側に向かって前記光が伝送されていると特定する心線対照測定装置。
【発明の詳細な説明】
【技術分野】
【０００１】
本発明は、光ファイバにおける湾曲部位からの漏洩光を受光して受光レベルに応じた検出信号を出力する受光素子を備えた光検出用治具を備えた心線対照測定装置に関するものである。
【背景技術】
【０００２】
この種の光検出用治具を備えた心線対照測定装置として、光ファイバ心線対照装置（以下、「心線対照測定装置」ともいう）が特開２００５−２６５５２４号公報に開示されている。この心線対照測定装置は、光ファイバを湾曲させた状態で挟持するための凸部および凹部を備えている。この場合、凹部には、光ファイバにおける湾曲部位からの漏洩光を受光する受光素子が配設されている。また、凸部は、中空構造に形成されると共に、光ファイバからの漏洩光を中空部に取り入れるための第１の光取り入れ口および第２の光取り入れ口とが形成されている。さらに、中空部には、両光取り入れ口から中空部内に取り入れられた漏洩光を上記の受光素子に案内する導光手段（一例として、ミラー）と、両光取り入れ口からの両漏洩光のいずれか一方だけを上記の受光素子に案内する（いずれか他方を遮光する）切替手段とを備えている。この場合、切替手段は、上記の中空部内に回動可能に取り付けられた開閉扉等で構成されて、第１の光取り入れ口からの漏洩光を遮光（遮断）して第２の光取り入れ口からの漏洩光だけを受光素子に案内させる状態と、第２の光取り入れ口からの漏洩光を遮光（遮断）して第１の光取り入れ口からの漏洩光だけを受光素子に案内させる状態とのいずれかに回動させられる。
【０００３】
この心線対照測定装置を用いて、光ファイバによる光の伝送方向を特定する伝送方向特定処理を実行する際には、まず、光ファイバを凸部および凹部の間に挟み込む。この際には、凸部および凹部の凹凸形状に沿って光ファイバが湾曲させられる。次いで、切替手段を制御して、一例として、第１の光取り入れ口からの漏洩光を遮光する位置に開閉扉を回動させて第２の光取り入れ口からの漏洩光だけを受光素子に案内させ、その状態において受光素子から出力される検出信号を取得する。続いて、切替手段を制御して、第２の光取り入れ口からの漏洩光を遮光する位置に開閉扉を回動させて第１の光取り入れ口からの漏洩光だけを受光素子に案内させ、その状態において受光素子から出力される検出信号を取得する。次いで、取得した両検出信号に基づき、光ファイバによる光の伝送方向を特定する。具体的には、両検出信号に基づき、第２の光取り入れ口からの漏洩光が第１の光取り入れ口からの漏洩光よりも強いときには、光ファイバによって第１の光取り入れ口の側から第２の光取り入れ口の側に向かって光が伝送されていると特定する。また、第１の光取り入れ口からの漏洩光が第２の光取り入れ口からの漏洩光よりも強いときには、光ファイバによって第２の光取り入れ口の側から第１の光取り入れ口の側に向かって光が伝送されていると特定する。これにより、伝送方向特定処理が完了する。
【特許文献１】特開２００５−２６５５２４公報（第７−９頁、第１−４図）
【発明の開示】
【発明が解決しようとする課題】
【０００４】
ところが、従来の心線対照測定装置には、以下の問題点が存在する。すなわち、従来の心線対照測定装置では、凸部内に回動可能に取り付けられている開閉扉を回動させることによって、第１の光取り入れ口からの漏洩光を遮光する状態（第２の光取り入れ口からの光だけを受光素子に案内する状態）と、第２の光取り入れ口からの漏洩光を遮光する状態（第１の光取り入れ口からの光だけを受光素子に案内する状態）とのいずれかに切り替える構成が採用されている。このため、従来の心線対照測定装置では、開閉扉を回動させるための複雑な機構部品を光検出用治具（凸部内）に配設する必要があるため、製造時における機構部品の組立て作業が煩雑であることに起因して、その製造コストが高騰しているという問題点がある。また、開閉扉を回動させることによって漏洩光を遮光したり通過を許容したりする構成（可動部品を有する構成）の従来の心線対照測定装置では、心線対照測定装置（光検出用治具）を繰り返して使用しているうちに、可動部品にがたつきが生じ、これに起因して、スムーズな開閉動作が困難な状況となる（動作不良を招く）おそれがある。このため、例えば、第２の光取り入れ口からの漏洩光だけを受光素子に案内する状態に切り替えたにも拘わらず、第１の光取り入れ口からの漏洩光の遮光が不完全となって、この漏洩光が受光素子によって受光されて、光の伝送方向が誤って特定されるおそれがあるという問題点が存在する。
【０００５】
本発明は、かかる問題点に鑑みてなされたものであり、製造コストの低減を図りつつ、繰り返して使用したときにも動作不良の発生を回避し得る心線対照測定装置を提供することを主目的とする。
【課題を解決するための手段】
【０００７】
上記目的を達成すべく請求項１記載の心線対照測定装置は、光ファイバを挟持するための凸状部および凹状部を有して当該凸状部および当該凹状部の凹凸形状に沿って当該光ファイバを湾曲させた状態で挟持する挟持部と、前記凸状部および前記凹状部の一方に配設されて前記挟持部によって湾曲させられている前記光ファイバにおける湾曲部位からの漏洩光を受光して受光レベルに応じた検出信号を出力する受光素子とを備え、前記凸状部および前記凹状部の他方が、前記湾曲部位における一端側からの第１の漏洩光を前記受光素子に案内する第１の光案内路と、前記湾曲部位における他端側からの第２の漏洩光を前記受光素子に案内する第２の光案内路とを備えると共に、前記第１の光案内路に配設されて前記第１の漏洩光を遮光する液晶シャッタを備えている心線対照測定装置用の光検出用治具、並びに、前記液晶シャッタによる前記漏洩光の遮光処理を制御すると共に前記受光素子からの前記検出信号に基づいて前記光ファイバによって伝送されている光の伝送方向を特定する伝送方向特定処理を実行する情報処理部を備えた心線対照測定装置であって、前記情報処理部は、前記伝送方向特定処理時において、前記液晶シャッタに対して前記第１の漏洩光の通過を許容させた状態における前記受光素子からの第１の検出信号と、前記液晶シャッタに対して前記第１の漏洩光を遮光させた状態における前記受光素子からの第２の検出信号とを取得して、前記第１の検出信号に対応する受光レベルと前記第２の検出信号に対応する受光レベルとの差が予め規定された受光レベル以下のときに、前記湾曲部位の前記一端側から前記他端側に向かって前記光が伝送されていると特定し、前記第１の検出信号に対応する受光レベルと前記第２の検出信号に対応する受光レベルとの差が前記予め規定された受光レベルを超えているときに、前記湾曲部位の前記他端側から前記一端側に向かって前記光が伝送されていると特定する。
【発明の効果】
【００１２】
請求項１記載の心線対照測定装置における光検出用治具では、第１の漏洩光を遮光する液晶シャッタが挟持部における凸状部および凹状部のいずれか（凸状部および凹状部のうちの受光素子を配設した一方とは相違する一方）に配設されている。また、情報処理部が、伝送方向特定処理時において、液晶シャッタに対して第１の漏洩光の通過を許容させた状態における受光素子からの第１の検出信号と、液晶シャッタに対して第１の漏洩光を遮光させた状態における受光素子からの第２の検出信号とを取得して、第１の検出信号に対応する受光レベルと第２の検出信号に対応する受光レベルとの差が予め規定された受光レベル以下のときに、湾曲部位の一端側から他端側に向かって光が伝送されていると特定し、第１の検出信号に対応する受光レベルと第２の検出信号に対応する受光レベルとの差が予め規定された受光レベルを超えているときに、湾曲部位の他端側から一端側に向かって光が伝送されていると特定する。
【００１３】
したがって、請求項１記載の心線対照測定装置によれば、従来の心線対照測定装置の光検出用治具とは異なり、開閉扉を回動させるための複雑な機構部品を用いることなく第１の漏洩光を遮光したり通過を許容したりすることができるため、光検出用治具を容易に組み立てることができる結果、その製造コストを十分に低減することができる。また、可動部品が存在しない光検出用治具を備えたことにより、繰り返して使用した際にがたつきが生じることがないため、動作不良を招くことなく第１の漏洩光を確実に遮光することができる。したがって、この光検出用治具および心線対照測定装置によれば、光の伝送方向が誤って特定される事態を確実に回避することができる。加えて、可動部品が存在しないことで、第１の漏洩光の通過を許容している状態から遮光する状態への移行に要する時間、および第１の漏洩光を遮光している状態から通過を許容する状態への移行に要する時間を十分に短縮することができる。これにより、伝送方向特定処理に要する時間を十分に短縮することができる。
【発明を実施するための最良の形態】
【００１４】
以下、本発明に係る心線対照測定装置の最良の形態について、添付図面を参照して説明する。
【００１５】
最初に、心線対照測定装置１Ａの構成について、図面を参照して説明する。
【００１６】
図１に示す心線対照測定装置１Ａは、光ファイバ５０による光の伝送方向を特定する伝送方向特定処理や、光ファイバ５０が活線か否かの活線判定処理などの各種測定処理を実行可能に構成されている。具体的には、心線対照測定装置１Ａは、光検出用治具１０Ａ、操作部２、表示部３、情報処理部４および記憶部５を備えている。光検出用治具１０Ａは、図２に示すように、凸状部１１および凹状部１２を備えると共に、遮光部１３ａが凸状部１１に取り付けられ、かつ、受光素子１４が凹状部１２に取り付けられて構成されている。凸状部１１および凹状部１２は、挟持部を構成し、同図に示すように、その凹凸形状に沿って光ファイバ５０を湾曲させた状態で挟持可能に構成されている。
【００１７】
この場合、凸状部１１は、空間２１を有する中空構造に形成されている。また、凸状部１１は、凹状部１２と相俟って光ファイバ５０を挟持したときに光ファイバ５０における湾曲部位の一端部と対向する部位に開口部２２ａが形成されると共に、湾曲部位の他端部と対向する部位に開口部２２ｂが形成され、かつ湾曲部位の中央部（凸状部の突端部）に開口部２２ｃが形成されている。さらに、凸状部１１の空間２１内には、ミラー２３および遮光部１３ａが配設されて、開口部２２ａからの漏洩光Ｌａ（図３，４参照）をミラー２３で反射して開口部２２ｃに案内する光案内路２０ａと、開口部２２ｂからの漏洩光Ｌｂ（図３，４参照）をミラー２３で反射して開口部２２ｃに案内する光案内路２０ｂとが形成されている。また、遮光部１３ａは、上記の光案内路２０ａを閉塞するようにして空間２１内に固定された液晶シャッタ２４ａと、光案内路２０ｂを閉塞するようにして空間２１内に固定された液晶シャッタ２４ｂとを備えている。
【００１８】
液晶シャッタ２４ａは、情報処理部４からの制御信号Ｓ１に従い、上記の漏洩光Ｌａを遮光したり、通過を許容したりする。また、液晶シャッタ２４ｂは、情報処理部４からの制御信号Ｓ１に従い、上記の漏洩光Ｌｂを遮光したり、通過を許容したりする。この場合、液晶シャッタ２４ａ，２４ｂは、一例として、ノーマリーホワイト型の液晶パネルを備えて構成されて、情報処理部４からの制御信号Ｓ１に従い、図示しない液晶駆動部から駆動電圧が供給されることで漏洩光Ｌａ，Ｌｂを遮光し、駆動電圧が供給されていない常態においては、漏洩光Ｌａ，Ｌｂの通過を許容する。なお、ノーマリーブラック形の液晶パネルを備えて液晶シャッタ２４ａ，２４ｂを構成した場合には、情報処理部４からの制御信号Ｓ１に従い、図示しない液晶駆動部から駆動電圧が供給されることで漏洩光Ｌａ，Ｌｂの通過が許容され、駆動電圧が供給されていない常態においては、漏洩光Ｌａ，Ｌｂが遮光される。一方、凹状部１２には、光案内路２０ａ，２０ｂによって凸状部１１の開口部２２ｃに案内された上記の漏洩光Ｌａ，Ｌｂを受光素子１４に入射させるための開口部２５が形成されている。この場合、受光素子１４は、漏洩光Ｌａ，Ｌｂの受光レベルに応じた検出信号Ｓ２を情報処理部４に出力する。
【００１９】
操作部２は、心線対照測定装置１Ａによる各種測定処理の開始および停止の指示や、測定条件の指定を行うための各種操作スイッチを備えて、スイッチ操作に応じた操作信号を情報処理部４に出力する。表示部３は、情報処理部４の制御に従って測定処理結果などを表示する。情報処理部４は、両液晶シャッタ２４ａ，２４ｂによる漏洩光Ｌａ，Ｌｂの遮光処理を制御すると共に、受光素子１４からの検出信号Ｓ２に基づいて光ファイバ５０によって伝送されている光の伝送方向を特定する伝送方向特定処理を実行する。記憶部５は、情報処理部４の動作プログラムなどを記憶する。
【００２０】
次に、心線対照測定装置１Ａの使用方法について、添付図面を参照して説明する。
【００２１】
まず、図２に示すように、測定対象の光ファイバ５０を凸状部１１および凹状部１２の間に挟み込むようにして光検出用治具１０Ａにセットする（凸状部１１および凹状部１２によって光ファイバ５０を挟持する）。この際には、光ファイバ５０が凸状部１１および凹状部１２の凹凸形状に沿って湾曲した状態となる。なお、測定対象の光ファイバ５０は、図示しない光信号出力装置からの光（信号光）を伝送しているものとする。次いで、操作部２を操作して、伝送方向特定処理の開始を指示する。この際に、情報処理部４は、まず、光検出用治具１０Ａの遮光部１３ａに制御信号Ｓ１を出力することにより、図３に示すように、液晶シャッタ２４ａに対して漏洩光Ｌａを遮光させると共に、液晶シャッタ２４ｂに対して漏洩光Ｌｂの通過を許容させる。この際には、同図に示すように、液晶シャッタ２４ｂを通過した漏洩光Ｌｂだけが開口部２２ｃ，２５を介して受光素子１４に入射する結果、受光素子１４は、漏洩光Ｌｂの光強度に応じた検出信号Ｓ２を情報処理部４に出力する。
【００２２】
一方、受光素子１４からの検出信号Ｓ２を取得した情報処理部４は、遮光部１３ａに制御信号Ｓ１を出力することにより、図４に示すように、液晶シャッタ２４ｂに対して漏洩光Ｌｂを遮光させると共に、液晶シャッタ２４ａに対して漏洩光Ｌａの通過を許容させる。この際には、同図に示すように、液晶シャッタ２４ａを通過した漏洩光Ｌａだけが開口部２２ｃ，２５を介して受光素子１４に入射する結果、受光素子１４は、漏洩光Ｌａの光強度に応じた検出信号Ｓ２を情報処理部４に出力する。次いで、受光素子１４からの検出信号Ｓ２を取得した情報処理部４は、上記の両検出信号Ｓ２（第１の検出信号および第２の検出信号Ｓ２）に基づき、光ファイバ５０による光の伝送方向を特定する。
【００２３】
この場合、光を伝送している光ファイバ５０を湾曲させた状態においては、湾曲部位における伝送方向上流側から伝送方向下流側に向かうに従って湾曲部位からの漏洩光が徐々に強くなる傾向がある。したがって、情報処理部４は、漏洩光Ｌａを受光した状態（液晶シャッタ２４ｂによって漏洩光Ｌｂを遮光した状態）において受光素子１４から出力された検出信号Ｓ２（第１の検出信号）に対応する受光レベル（すなわち、漏洩光Ｌａの光強度）よりも、漏洩光Ｌｂを受光した状態（液晶シャッタ２４ａによって漏洩光Ｌａを遮光した状態）において受光素子１４から出力された検出信号Ｓ２（第２の検出信号）に対応する受光レベル（すなわち、漏洩光Ｌｂの光強度）が高いときには、開口部２２ａと対向する部位から開口部２２ｂと対向する部位に向かって光ファイバ５０によって光が伝送されている（図３，４に示す矢印Ａの向きで光が伝送されている）と特定し、その特定結果を表示部３に表示させる。
【００２４】
一方、情報処理部４は、漏洩光Ｌｂを受光した状態（液晶シャッタ２４ａによって漏洩光Ｌａを遮光した状態）において受光素子１４から出力された検出信号Ｓ２（第２の検出信号）に対応する受光レベル（すなわち、漏洩光Ｌｂの光強度）よりも、漏洩光Ｌａを受光した状態（液晶シャッタ２４ｂによって漏洩光Ｌｂを遮光した状態）において受光素子１４から出力された検出信号Ｓ２（第１の検出信号）に対応する受光レベル（すなわち、漏洩光Ｌａの光強度）が高いときには、開口部２２ｂと対向する部位から開口部２２ａと対向する部位に向かって光ファイバ５０によって光が伝送されている（図３，４に示す矢印Ｂの向きで光が伝送されている）と特定し、その特定結果を表示部３に表示させる。以上により、伝送方向特定処理が完了する。
【００２５】
このように、この光検出用治具１０Ａでは、漏洩光Ｌａを遮光する液晶シャッタ２４ａと漏洩光Ｌｂを遮光する液晶シャッタ２４ｂとが凸状部１１に配設されている。また、この心線対照測定装置１Ａでは、光検出用治具１０Ａを備えて、情報処理部４が、伝送方向特定処理時において、液晶シャッタ２４ａに対して漏洩光Ｌａの通過を許容させると共に液晶シャッタ２４ｂに対して漏洩光Ｌｂを遮光させた状態における受光素子１４からの検出信号Ｓ２（第１の検出信号）と、液晶シャッタ２４ａに対して漏洩光Ｌａを遮光させると共に液晶シャッタ２４ｂに対して漏洩光Ｌｂの通過を許容させた状態における受光素子１４からの検出信号Ｓ２（第２の検出信号）とを取得して、第１の検出信号に対応する受光レベルよりも第２の検出信号に対応する受光レベルが高いときに、光ファイバ５０における湾曲部位の一端側（開口部２２ａと対向する部位）から他端側（開口部２２ｂと対向する部位）に向かって光が伝送されていると特定し、第２の検出信号に対応する受光レベルよりも第１の検出信号に対応する受光レベルが高いときに、光ファイバ５０における湾曲部位の他端側（開口部２２ｂと対向する部位）から一端側（開口部２２ａと対向する部位）に向かって光が伝送されていると特定する。
【００２６】
したがって、この光検出用治具１０Ａおよび心線対照測定装置１Ａによれば、従来の心線対照測定装置の光検出用治具とは異なり、開閉扉を回動させるための複雑な機構部品を用いることなく漏洩光Ｌａおよび漏洩光Ｌｂを遮光したり通過を許容したりすることができるため、光検出用治具１０Ａを容易に組み立てることができる結果、その製造コストを十分に低減することができる。また、可動部品が存在しない光検出用治具１０Ａを備えたことにより、繰り返して使用した際にがたつきが生じることがないため、動作不良を招くことなく漏洩光Ｌａまたは漏洩光Ｌｂを確実に遮光することができる。したがって、この光検出用治具１０Ａおよび心線対照測定装置１Ａによれば、光の伝送方向が誤って特定される事態を確実に回避することができる。加えて、可動部品が存在しないことで、漏洩光Ｌａ，Ｌｂの通過を許容している状態から遮光する状態への移行に要する時間、および漏洩光Ｌａ，Ｌｂを遮光している状態から通過を許容する状態への移行に要する時間を十分に短縮することができる。これにより、伝送方向特定処理に要する時間を十分に短縮することができる。
【００２７】
次いで、本発明の実施の形態に係る心線対照測定装置１Ｂについて、添付図面を参照して説明する。なお、上記した心線対照測定装置１Ａ（光検出用治具１０Ａ）と同一の構成要素については、同一の符号を付して重複する説明を省略する。
【００２８】
心線対照測定装置１Ｂは、本発明に係る心線対照測定装置の一例であって、上記の心線対照測定装置１Ａにおける光検出用治具１０Ａに代えて、図５，６に示す光検出用治具１０Ｂを備えている。光検出用治具１０Ｂは、本発明に係る光検出用治具の一例であって、凸状部１１および凹状部１２を備えると共に、遮光部１３ｂが凸状部１１に取り付けられ、かつ、受光素子１４が凹状部１２に取り付けられて構成されている。凸状部１１および凹状部１２は、本発明における挟持部を構成し、同図に示すように、その凹凸形状に沿って光ファイバ５０を湾曲させた状態で挟持可能に構成されている。この場合、凸状部１１の空間２１内には、ミラー２３および遮光部１３ｂが配設されて、開口部２２ａからの漏洩光Ｌａ（本発明における第１の漏洩光の一例：図５，６参照）をミラー２３で反射して開口部２２ｃに案内する光案内路２０ａ（本発明における第１の光案内路の一例）と、開口部２２ｂからの漏洩光Ｌｂ（本発明における第２の漏洩光の一例：図５，６参照）をミラー２３で反射して開口部２２ｃに案内する光案内路２０ｂ（本発明における第２の光案内路の一例）とが形成されている。
【００２９】
また、遮光部１３ｂは、上記の光案内路２０ａを閉塞するようにして空間２１内に固定された液晶シャッタ２４（本発明における液晶シャッタの一例）を備えて構成されている。この場合、液晶シャッタ２４は、情報処理部４からの制御信号Ｓ１に従い、上記の漏洩光Ｌａを遮光したり、通過を許容したりする。具体的には、液晶シャッタ２４は、一例として、ノーマリーホワイト型の液晶パネルを備えて構成されて、情報処理部４からの制御信号Ｓ１に従い、図示しない液晶駆動部から駆動電圧が供給されることで漏洩光Ｌａを遮光し、駆動電圧が供給されていない常態においては、漏洩光Ｌａの通過を許容する。なお、ノーマリーブラック形の液晶パネルを備えて液晶シャッタ２４を構成した場合には、情報処理部４からの制御信号Ｓ１に従い、図示しない液晶駆動部から駆動電圧が供給されることで漏洩光Ｌａの通過が許容され、駆動電圧が供給されていない常態においては、漏洩光Ｌａが遮光される。
【００３０】
次に、心線対照測定装置１Ｂの使用方法について、添付図面を参照して説明する。
【００３１】
まず、図５に示すように、測定対象の光ファイバ５０を凸状部１１および凹状部１２の間に挟み込むようにして光検出用治具１０Ａにセットする（凸状部１１および凹状部１２によって光ファイバ５０を挟持する）。この際には、光ファイバ５０が凸状部１１および凹状部１２の凹凸形状に沿って湾曲した状態となる。なお、測定対象の光ファイバ５０は、図示しない光信号出力装置からの光（信号光）を伝送しているものとする。次いで、操作部２を操作して、伝送方向特定処理の開始を指示する。この際に、情報処理部４は、まず、光検出用治具１０Ｂに制御信号Ｓ１を出力することにより、同図に示すように、液晶シャッタ２４に対して漏洩光Ｌａの通過を許容させる。この際には、同図に示すように、液晶シャッタ２４を通過した漏洩光Ｌａと、開口部２２ｂからの漏洩光Ｌｂとが開口部２２ｃ，２５を介して受光素子１４に入射する結果、受光素子１４は、漏洩光Ｌａおよび漏洩光Ｌｂの光強度に応じた検出信号Ｓ２（本発明における第１の検出信号）を情報処理部４に出力する。
【００３２】
一方、受光素子１４からの検出信号Ｓ２を取得した情報処理部４は、光検出用治具１０Ｂに制御信号Ｓ１を出力することにより、図６に示すように、液晶シャッタ２４に対して漏洩光Ｌａを遮光させる。この際には、同図に示すように、開口部２２ｂからの漏洩光Ｌｂだけが開口部２２ｃ，２５を介して受光素子１４に入射する結果、受光素子１４は、漏洩光Ｌｂの光強度に応じた検出信号Ｓ２（本発明における第２の検出信号）を情報処理部４に出力する。次いで、受光素子１４からの検出信号Ｓ２を取得した情報処理部４は、上記の両検出信号Ｓ２（第１の検出信号および第２の検出信号Ｓ２）に基づき、光ファイバ５０による光の伝送方向を特定する。
【００３３】
この場合、前述したように、光を伝送している光ファイバ５０を湾曲させた状態においては、湾曲部位における伝送方向上流側から伝送方向下流側に向かうに従って湾曲部位からの漏洩光が徐々に強くなる傾向があるのが知られている。したがって、開口部２２ａと対向する部位から開口部２２ｂと対向する部位に向かって光ファイバ５０によって光が伝送されている（図５，６に示す矢印Ａの向きで光が伝送されている）ときには、開口部２２ａからの漏洩光Ｌａよりも開口部２２ｂからの漏洩光Ｌｂの方が光強度が高くなり、開口部２２ｂと対向する部位から開口部２２ａと対向する部位に向かって光ファイバ５０によって光が伝送されている（図５，６に示す矢印Ｂの向きで光が伝送されている）ときには、開口部２２ｂからの漏洩光Ｌｂよりも開口部２２ａからの漏洩光Ｌａの方が光強度が高くなる。
【００３４】
このため、矢印Ａの向きで光が伝送されている状態においては、漏洩光Ｌａの光強度が低いことに起因して、図５に示すように漏洩光Ｌａ，Ｌｂの双方が入射している状態の受光素子１４の受光レベルと、図６に示すように漏洩光Ｌｂだけが入射している状態の受光素子１４の受光レベルとの差が極く僅かとなる。これに対して、矢印Ｂの向きで光が伝送されている状態においては、漏洩光Ｌａの光強度が高いことに起因して、図５に示すように漏洩光Ｌａ，Ｌｂの双方が入射している状態の受光素子１４の受光レベルと、図６に示すように漏洩光Ｌｂだけが入射している状態の受光素子１４の受光レベルとの差が大きくなる。
【００３５】
したがって、情報処理部４は、漏洩光Ｌａ，Ｌｂの双方を受光した状態（液晶シャッタ２４による漏洩光Ｌａの通過を許容した状態）において受光素子１４から出力された検出信号Ｓ２（第１の検出信号）に対応する受光レベルと、漏洩光Ｌｂだけを受光した状態（液晶シャッタ２４によって漏洩光Ｌａを遮光した状態）において受光素子１４から出力された検出信号Ｓ２（第２の検出信号）に対応する受光レベルとの差が予め規定された受光レベル以下のとき（一例として、漏洩光Ｌａ，Ｌｂの双方が入射している状態の受光レベルに対する４０％以下のとき）には、開口部２２ａと対向する部位（本発明における一端側）から開口部２２ｂと対向する部位（本発明における他端側）に向かって光ファイバ５０によって光が伝送されている（図５，６に示す矢印Ａの向きで光が伝送されている）と特定し、その特定結果を表示部３に表示させる。一方、情報処理部４は、上記の第１の検出信号に対応する受光レベルと第２の検出信号に対応する受光レベルとの差が予め規定された受光レベルを超えているとき（この例では、漏洩光Ｌａ，Ｌｂの双方が入射している状態の受光レベルに対する４０％を超えているとき）には、開口部２２ｂと対向する部位（本発明における他端側）から開口部２２ａと対向する部位（本発明における一端側）に向かって光ファイバ５０によって光が伝送されている（図５，６に示す矢印Ｂの向きで光が伝送されている）と特定し、その特定結果を表示部３に表示させる。以上により、伝送方向特定処理が完了する。
【００３６】
このように、この光検出用治具１０Ｂでは、漏洩光Ｌａを遮光する液晶シャッタ２４が凸状部１１（本発明における「凸状部および凹状部の他方」の一例）に配設されている。また、この心線対照測定装置１Ｂでは、光検出用治具１０Ｂを備えて、情報処理部４が、伝送方向特定処理時において、液晶シャッタ２４に対して漏洩光Ｌａの通過を許容させた状態における受光素子１４からの検出信号Ｓ２（第１の検出信号）と、液晶シャッタ２４に対して漏洩光Ｌａを遮光させた状態における受光素子１４からの検出信号Ｓ２（第２の検出信号）とを取得して、第１の検出信号に対応する受光レベルと第２の検出信号に対応する受光レベルとの差が予め規定された受光レベル以下のときに、光ファイバ５０における湾曲部位の一端側（開口部２２ａと対向する部位）から他端側（開口部２２ｂと対向する部位）に向かって光が伝送されていると特定し、第１の検出信号に対応する受光レベルと第２の検出信号に対応する受光レベルとの差が予め規定された受光レベルを超えているときに、光ファイバ５０における湾曲部位の他端側（開口部２２ｂと対向する部位）から一端側（開口部２２ａと対向する部位）に向かって光が伝送されていると特定する。
【００３７】
したがって、この光検出用治具１０Ｂおよび心線対照測定装置１Ｂによれば、上記の光検出用治具１０Ａおよび心線対照測定装置１Ａと同様にして、従来の心線対照測定装置の光検出用治具とは異なり、開閉扉を回動させるための複雑な機構部品を用いることなく漏洩光Ｌａを遮光したり通過を許容したりすることができるため、光検出用治具１０Ｂを容易に組み立てることができる結果、その製造コストを十分に低減することができる。また、可動部品が存在しない光検出用治具１０Ｂを備えたことにより、繰り返して使用した際にがたつきが生じることがないため、動作不良を招くことなく漏洩光Ｌａを確実に遮光することができる。したがって、この光検出用治具１０Ｂおよび心線対照測定装置１Ｂによれば、光の伝送方向が誤って特定される事態を確実に回避することができる。加えて、可動部品が存在しないことで、漏洩光Ｌａの通過を許容している状態から遮光する状態への移行に要する時間、および漏洩光Ｌａを遮光している状態から通過を許容する状態への移行に要する時間を十分に短縮することができる。これにより、伝送方向特定処理に要する時間を十分に短縮することができる。
【００３８】
この場合、「予め規定された受光レベル」を上記の例と同じかまたは上記の例よりも僅かに高い受光レベル（一例として、漏洩光Ｌａ，Ｌｂの双方が入射している状態の受光レベルに対する４１％）に規定すると共に、第１の検出信号に対応する受光レベルと第２の検出信号に対応する受光レベルとの差が予め規定された受光レベルを下回っているときに、光ファイバ５０における湾曲部位の一端側（開口部２２ａと対向する部位）から他端側（開口部２２ｂと対向する部位）に向かって光が伝送されていると特定し、第１の検出信号に対応する受光レベルと第２の検出信号に対応する受光レベルとの差が予め規定された受光レベル以上のときに、光ファイバ５０における湾曲部位の他端側（開口部２２ｂと対向する部位）から一端側（開口部２２ａと対向する部位）に向かって光が伝送されていると特定する構成を採用することもできる。このような構成を採用した心線対照測定装置においても、上記の心線対照測定装置１Ｂと同様の効果を奏することができる。
【００３９】
なお、本発明は、上記の構成に限定されない。例えば、上記の心線対照測定装置１Ｂ（光検出用治具１０Ｂ）では、凸状部１１に液晶シャッタ（遮光部１３ｂ）を配設すると共に、凹状部１２に受光素子１４を配設する構成を採用しているが、本発明は、これに限定されず、凸状部に受光素子を配設すると共に、凹状部に液晶シャッタを配設する構成を採用することもできる。このような構成においても、前述した心線対照測定装置１Ｂ（光検出用治具１０Ｂ）と同様にして、開閉扉を回動させるための複雑な機構部品を用いることなく、光ファイバからの漏洩光を遮光したり通過を許容したりすることができるため、光検出用治具を容易に組み立てることができる結果、その製造コストを十分に低減することができる。また、可動部品が存在しない光検出用治具を備えて心線対照測定装置を構成することにより、繰り返して使用した際にがたつきが生じることがないため、動作不良を招くことなく漏洩光を確実に遮光することができる。したがって、光の伝送方向が誤って特定される事態を確実に回避することができる。加えて、可動部品が存在しないことで、漏洩光の通過を許容している状態から遮光する状態への移行に要する時間、および漏洩光を遮光している状態から通過を許容する状態への移行に要する時間を十分に短縮することができる。これにより、伝送方向特定処理に要する時間を十分に短縮することができる。
【図面の簡単な説明】
【００４０】
【図１】心線対照測定装置１Ａ（１Ｂ）の構成を示すブロック図である。
【図２】光検出用治具１０Ａの構成を示す断面図である。
【図３】液晶シャッタ２４ａによって漏洩光Ｌａを遮光した状態の光検出用治具１０Ａの断面図である。
【図４】液晶シャッタ２４ｂによって漏洩光Ｌｂを遮光した状態の光検出用治具１０Ａの断面図である。
【図５】漏洩光Ｌａ，Ｌｂの双方の通過を許容した状態の光検出用治具１０Ｂの断面図である。
【図６】液晶シャッタ２４によって漏洩光Ｌａを遮光した状態の光検出用治具１０Ｂの断面図である。
【符号の説明】
【００４１】
１Ａ，１Ｂ  心線対照測定装置
４  情報処理部
１０Ａ，１０Ｂ  光検出用治具
１１  凸状部
１２  凹状部
１３ａ，１３ｂ  遮光部
１４  受光素子
２０ａ，２０ｂ  光案内路
２１  空間
２２ａ〜２２ｃ，２５  開口部
２３  ミラー
２４，２４ａ，２４ｂ  液晶シャッタ
５０  光ファイバ
Ｌａ，Ｌｂ  漏洩光
Ｓ１  制御信号
Ｓ２  検出信号
【図１】
0005264240.tif 000002
【図２】
0005264240.tif 000003
【図３】
0005264240.tif 000004
【図４】
0005264240.tif 000005
【図５】
0005264240.tif 000006
【図６】
0005264240.tif 000007